(57)【要約】      （修正有）【課題】柄の先端部に清掃用のヘッドを揺動自在に連結してなるモップを収納するにあたり、収納作業に手間を要すること無く、モップをよりコンパクトに収納できるモップ収納具を提供する。【解決手段】柄５６の先端部に清掃用のヘッド５２を揺動自在に連結してなるモップ５１を、柄５６の先端が下側に向けられた状態で収納するモップ収納具において、柄５６を上下方向に向けた状態で保持する保持部２２を設け、ヘッド５２を押当てることにより起立させる押当て部３２を、保持部２２の下方に形成し、保持部２２に保持されて上下方向を向いた柄５６に沿うように起立したヘッド５２を下側から受止めて支持する受部１７を設け、受部１７の下方にスペースが形成されるように、該受部１７を設置面よりも高い位置に配置している。【選択図】図３
0003174936.tif 000002
【実用新案登録請求の範囲】
【請求項１】
柄（５６）の先端部に清掃用のヘッド（５２）を揺動自在に連結してなるモップ（５１）を、柄（５６）の先端が下側に向けられた状態で収納するモップ収納具において、柄（５６）を上下方向に向けた状態で保持する保持部（２２）を設け、ヘッド（５２）を押当てることにより起立させる押当て部（３２）を、保持部（２２）の下方に形成したモップ収納具。
【請求項２】
保持部（２２）に保持されて上下方向を向いた柄（５６）に沿うように起立したヘッド（５２）を下側から受止めて支持する受部（１７）を設けた請求項１記載のモップ収納具。
【請求項３】
受部（１７）の下方にスペースが形成されるように、該受部（１７）を設置面（Ｆ）よりも高い位置に配置した請求項２記載のモップ収納具。
【請求項４】
受部（１７）の真下側に所定の深さを有する受皿（７）を設けた請求項３記載のモップ収納具。
【請求項５】
上下方向に延びる支持杆（６）を枠体に支持し、支持杆（６）の下端部に受部（１７）を配設し、支持杆（６）の受部（１７）よりも上方位置に押当て部（３２）を形成し、支持杆（６）の押当て部（３２）よりもさらに上方位置に保持部（２２）を形成した請求項３又は４の何れかに記載のモップ収納具。
【請求項６】
枠体に上下位置調整可能に支持杆（６）を支持した請求項５記載のモップ収納具。
【請求項７】
支持杆（６）の保持部（２２）よりもさらに上側位置にグリップ（１８）を形成した請求項５又は６の何れかに記載のモップ収納具。
【請求項８】
支持杆（６）の下端部をフック状に曲げ形成することにより、受部（１７）を形成した請求項５乃至７の何れかに記載のモップ収納具。
【請求項９】
枠体の少なくとも一部を構成する左右一対のサイドフレーム（２，２）間にモップ（５１）用の収納空間を形成し、該左右のサイドフレーム（２，２）間に横杆（４Ａ，４Ｂ）を架設し、該横杆（４Ａ，４Ｂ）に支持杆（６）を支持し、横杆（４Ａ，４Ｂ）と支持杆（６）とが交差する部分によって前記押当て部（３２）の少なくとも一部を構成した請求項５乃至８の何れかに記載のモップ収納具。
【請求項１０】
左右のサイドフレーム（２，２）を前記横杆（４Ａ，４Ｂ）によって着脱可能に連結固定した請求項９記載のモップ収納具。
【請求項１１】
横杆（４Ａ，４Ｂ）に上下方向の補助当て部材（１６）を設け、該補助当て部材（１６）によって、押当て部（３２）の一部を構成した請求項９又は１０の何れかに記載のモップ収納具。
【考案の詳細な説明】
【技術分野】
【０００１】
この発明は、柄の先端部に清掃用のヘッドを揺動自在に連結してなるモップをコンパクトに収納するモップ収納具に関する。
【背景技術】
【０００２】
柄の先端部に清掃用のヘッドを揺動自在に連結してなるモップを、柄の先端が下側に向けられた状態でコンパクトに収納するにあたり、ヘッドが上下方向を向いて起立した状態で、保持部によって柄を上下方向に向けた状態で保持する特許文献１に示すモップ収納具が従来公知である。
【先行技術文献】
【特許文献】
【０００３】
【特許文献１】特開平５−９５４５９号公報
【考案の概要】
【考案が解決しようとする課題】
【０００４】
上記文献のモップ収納具は、ヘッドの長手方向が上下方向を向くように該ヘッドを直接手で起立させる作業が必要になるため、収納作業の手間が増大する。
本考案は、柄の先端部に清掃用のヘッドを揺動自在に連結してなるモップを収納するにあたり、収納作業に手間を要すること無く、モップをよりコンパクトに収納できるモップ収納具を提供することを課題としている。
【課題を解決するための手段】
【０００５】
上記課題を解決するため、第１に、柄５６の先端部に清掃用のヘッド５２を揺動自在に連結してなるモップ５１を、柄５６の先端が下側に向けられた状態で収納するモップ収納具において、柄５６を上下方向に向けた状態で保持する保持部２２を設け、ヘッド５２を押当てることにより起立させる押当て部３２を、保持部２２の下方に形成したことを特徴としている。
【０００６】
第２に、保持部２２に保持されて上下方向を向いた柄５６に沿うように起立したヘッド５２を下側から受止めて支持する受部１７を設けたことを特徴としている。
【０００７】
第３に、受部１７の下方にスペースが形成されるように、該受部１７を設置面Ｆよりも高い位置に配置したことを特徴としている。
【０００８】
第４に、受部１７の真下側に所定の深さを有する受皿７を設けたことを特徴としている。
【０００９】
第５に、上下方向に延びる支持杆６を枠体に支持し、支持杆６の下端部に受部１７を配設し、支持杆６の受部１７よりも上方位置に押当て部３２を形成し、支持杆６の押当て部３２よりもさらに上方位置に保持部２２を形成したことを特徴としている。
【００１０】
第６に、枠体に上下位置調整可能に支持杆６を支持したことを特徴としている。
【００１１】
第７に、支持杆６の保持部２２よりもさらに上側位置にグリップ１８を形成したことを特徴としている。
【００１２】
第８に、支持杆６の下端部をフック状に曲げ形成することにより、受部１７を形成したことを特徴としている。
【００１３】
第９に、枠体の少なくとも一部を構成する左右一対のサイドフレーム２，２間にモップ５１用の収納空間を形成し、該左右のサイドフレーム２，２間に横杆４Ａ，４Ｂを架設し、該横杆４Ａ，４Ｂに支持杆６を支持し、横杆４Ａ，４Ｂと支持杆６とが交差する部分によって前記押当て部３２の少なくとも一部を構成したことを特徴としている。
【００１４】
第１０に、左右のサイドフレーム２，２を前記横杆４Ａ，４Ｂによって着脱可能に連結固定したことを特徴としている。
【００１５】
第１１に、横杆４Ａ，４Ｂに上下方向の補助当て部材１６を設け、該補助当て部材１６によって、押当て部３２の一部を構成したことを特徴としている。
【考案の効果】
【００１６】
押当て部にヘッドを押当てることにより、ヘッドを起立させるとともに、上下方向に向けられた柄を保持部に保持させれば、ヘッドを直接手で起立させる作業を行うことなく、ヘッドが上下方向の柄に沿って起立したコンパクトな状態で、モップを収納させることが可能になる。
【００１７】
また、保持部に保持されて上下方向を向いた柄に沿うように起立したヘッドを下側から受止めて支持する受部を設けたものによれば、より安定した状態で、モップを収納させることができる。
【００１８】
また、受部の下方にスペースが形成されるように、該受部を設置面よりも高い位置に配置したものによれば、モップのヘッド側からの水分や埃等が自重で落下して除去される。
【００１９】
さらに、上下方向に延びる支持杆を枠体に支持し、支持杆の下端部に受部を配設し、支持杆の受部よりも上方位置に押当て部を形成し、支持杆の押当て部よりもさらに上方位置に保持部を形成したものによれば、支持杆側に保持部と押当て部と受部が集中配置され、全体をコンパクトに形成できる。
【００２０】
なお、枠体に上下位置調整可能に支持杆を支持したものによれば、モップに合せて支持杆の位置を調整できるため、汎用性が向上する。
【００２１】
また、枠体の少なくとも一部を構成する左右一対のサイドフレーム間にモップ用の収納空間を形成し、該左右のサイドフレーム間に横杆を架設し、該横杆に支持杆を支持し、横杆と支持杆とが交差する部分によって前記押当て部の少なくとも一部を構成したものによれば、サイドフレーム間に架設されて強度を向上させる横杆が、押当て部にも兼用されるため、部品手数を減少して製造コストが安くなる。
【００２２】
また、左右のサイドフレームを前記横杆によって着脱可能に連結固定したものによれば、未使用時は左右のサイドフレームを分解して保存しておくことが可能であるため、利便性が高い。
【図面の簡単な説明】
【００２３】
【図１】本考案は適用したモップ収納具の斜視図である。
【図２】本モップ収納具の分解斜視図である。
【図３】（Ａ），（Ｂ）は、モップをモップ収納具に収納する状態を段階的に示す側面図である。
【図４】支持筒への支持杆の固定手段及び支持スリーブへの横フレームの固定手段を示す説明図である。
【図５】挿通部の構成を示す平面図である。
【考案を実施するための形態】
【００２４】
図１は、本考案は適用したモップ収納具の斜視図であり、図２は、本モップ収納具の分解斜視図であり、図３（Ａ），（Ｂ）は、モップをモップ収納具に収納する状態を段階的に示す側面図である。モップ収容具１に収納させるモップ５１は、片面（払拭面５２ａ）側に多数のパイル（繊維）５３が植設されたヘッド５２と、ヘッド５２のもう片面側に設置された関節部５４を介して該ヘッド５２に回動自在に連結された柄５６とを備えている。
【００２５】
一方、モップ収納具１は、左右一対の金属製のサイドフレーム２，２と、サイドフレーム２の外面を覆う金属製のサイドカバー３と、左右のサイドフレーム２，２間に架設される上下一対の金属製の横フレーム４Ａ，４Ｂと、上下の横フレーム４Ａ，４Ｂに上下位置調整可能に支持された上下方向の金属製の支持杆６と、左右のサイドフレーム２，２間のスペースである収納空間の下部に位置する金属製の受皿７と、受皿７を左右サイドフレーム２，２間に支持する金属性の支持部材８とを備えている。
【００２６】
上記左右のサイドフレーム２，２は、それぞれ金属製棒状部材を側面視下側が開放したＵの字形に曲げ形成したＵ字フレーム９と、Ｕ字フレーム９の上下方向中途部同士を連結する前後方向の連結杆１１とを有している。
【００２７】
連結杆１１は、溶接によって、Ｕ字フレーム９に取付固定されており、Ｕ字フレーム９の上端部は前後方向にフラットに形成され、Ｕ字フレーム９の後部が鉛直方向の延びる後脚部９ａを構成するとともに、Ｕ字フレーム９の前部が前方に向かって下方に急傾斜した前脚部９ｂを構成している。この各サイドフレーム２の前後の脚部９ａ，９ｂの下端側には、弾性変形可能な合成樹脂製の円錐台状のクッション材１２がそれぞれ取付けられている。
【００２８】
また、各Ｕ字フレーム９の上端部の前後方向中途部には、左右内側に突出した左右方向の金属製の上側支持スリーブ（支持部材）１３Ａが溶接によって固着されるとともに、各連結杆１１の前後方向中途部にも、左右内側に突出した左右方向の金属製の下側支持スリーブ（支持部材）１３Ｂが溶接によって固着されている。この計４つ支持スリーブ１３Ａ，１３Ｂの左右内側端は、それぞれ開放されている。
【００２９】
上記上下一対の横フレーム４Ａ，４Ｂの内、上側の横フレーム４Ａの左右両端部は、左右の上側支持スリーブ１３Ａ，１３Ａにそれぞれ挿入され、下側の横フレーム４Ｂの左右両端部は、左右の下側支持スリーブ１３Ｂ，１３Ｂにそれぞれ挿入されており、このようにして、上下の各横フレーム４Ａ，４Ｂは、左右のサイドフレーム２，２間に架設され、この上下の横フレーム４Ａ，４Ｂと、左右のサイドフレーム２，２とによって、モップ収納具１の枠体を形成している。
【００３０】
また、この各横フレーム４Ａ，４Ｂの中途部には、それぞれ上下方向に延びる金属製の支持筒（支持部材）１４Ａ，１４Ｂが溶接等によって取付固定されている。この支持筒１４Ａ，１４Ｂの両端はそれぞれ開放されている。上記枠体の形成時、上側の支持筒である上側支持筒１４Ａと、下側の支持筒である下側支持筒１４Ｂとは、同一軸心とすることが可能であり、この同一軸心となる２つの支持筒１４Ａ，１４Ｂに単一の支持杆６を一気に挿通支持させる。
【００３１】
さらに、上側の横フレーム４Ａにおける前記支持筒１４Ａの左右両側には、補助当て部材１６，１６がそれぞれ配設されている。各補助当て部材１６は、上下方向に延びる棒状部材であり、その上部が中途部及び下部に対して前方に屈曲形成されている他、この補助当て部材１６の下端部が横フレーム４Ａに溶接されている。
【００３２】
上記支持杆６は、軸方向にスライド可能な状態で、上下の支持筒１４Ａ，１４Ｂに挿通支持され、この挿通の後、支持杆６の下端部をフック状に曲げ形成して受部１７を形成するとともに、支持杆６の上端部には、その他の部分に比べて径が長くなった径拡大部６ａが形成されており、この径拡大部６ａの上端に球状のグリップ１８が着脱可能に取付固定されている。この径拡大部６ａ及び受部１７によって、支持杆６を上下の支持筒１４Ａ，１４Ｂから引抜くことができない状態になる。
【００３３】
また、支持筒１４Ａ，１４Ｂへの支持杆６の固定手段と、支持スリーブ１３Ａ，１３Ｂへの横フレーム４Ａ，４Ｂの固定手段について説明する。
図４は、支持筒への支持杆の固定手段及び支持スリーブへの横フレームの固定手段を示す説明図である。支持スリーブ１３Ａ，１３Ｂ及び支持筒１４Ａ，１４Ｂには、内周側と外周側とを連通させるように、軸方向に対して直交する方向に形成されたネジ孔である固定孔１９が穿設されており、この固定孔１９には、ネジが外周に形成された軸部を有する固定具（図示する例ではセットボルト）２１が、ネジ係合された状態で挿入され、この固定具２１を締付けると、固定具２１の軸部の挿入端によって、支持杆６及び横フレーム４Ａ，４Ｂが押圧固定される。すなわち、横フレーム４Ａ，４Ｂは着脱自在に支持スリーブ１３Ａ，１３Ｂに取付固定されるとともに、支持杆６も支持筒１４Ａ，１４Ｂに着脱自在に取付固定される。
【００３４】
さらに、図１及び図２に示す通り、支持杆６の径拡大部６ａには、モップ５１の柄を保持する保持部材（保持部）２２が設置されている。保持部材２２は、側面視前後に長い方形状に形成された左右一対の保持プレート２３，２３を備え、該左右の保持プレート２３，２３は、径拡大部６ａを左右に挟み込むように互いが対向した状態で、溶接又はボルト等によって、径拡大部６ａに固着されている。ちなみに、この保持プレート２３は、弾性変形可能な金属製の部材によって構成されている。
【００３５】
この保持部材２２は、それぞれ支持杆６から前後両側に延出されており、この前後に突出した部分には、挿通部２４がそれぞれ形成されている。
【００３６】
図５は、挿通部の構成を示す平面図である。図示するように、対向配置された左右一対の保持プレート２３，２３の互いに向い合う部分の一部が、平面視互いに離れるように左右外側に円弧状に膨出する円弧状部２３ａ，２３ａになり、この左右の円弧状部２３ａ，２３ａによって、柄５６を挿通させる平断面視円形のスペースである挿通部２４が形成される他、この左右の円弧状部２３ａ，２３ａの先端からは、平面視左右外側に反返るように湾曲形成された反返り部２３ｂ，２３ｂがそれぞれ一体的に延設され、挿通部２４の径よりも左右幅が狭い出入口２６を形成している。言換えると、挿通部２４は、出入口２６によって、前方の一部が開放されている。
【００３７】
この出入口２６を介して、モップ５１の柄５６を挿通部２４から出し入れするが、この際に柄５６の径が出入口２６の最小左右幅よりも短い場合には、所定以上の力で、上下方向を向いた柄５６を後方の押込むことにより、左右の反返り部２３ｂ，２３ｂが互いに離間する側に弾性変形し、これによって、柄５６が挿通部２４に移動収容される。ちなみに、柄５６が挿通部２４に収容されると、反返り部２３ｂ，２３ｂと柄５６の当接が解除されて反返り部２３ｂ，２３ｂが元の位置に弾性復帰する。
【００３８】
このようにして、柄５６が挿通部２４内に保持されると、柄５６の前後動及び左右動が規制されて保持される。ちなみに、この挿通部２４よりも大きな径を有する柄５６が挿通された場合には、左右の保持プレート２３，２３が互いに離間する方向に弾性変形し、柄の周面が弾力的に挟持されて固定される。
【００３９】
また、この挿通部２４は、保持部材２２の前後両側にそれぞれ形成されるが、前側の挿通部２４にはモップ５１の柄５６を保持させる一方で、後側の挿通部には、柄を有する他の清掃具（例えば、ほうき等）６１の柄６２を保持させる（図３（Ｂ）参照）。
【００４０】
上記支持部材８は、図１及び図２に示す通り、側面視逆Ｕ字状に屈曲形成された左右一対の支持フレーム２７，２７と、左右の支持フレーム２７，２７間に架渡される正面視Ｕ字状の前後一対の載置フレーム２８，２８とを備え、所定間隔をあけて並列した前後の載置フレーム２８，２８を、所定間隔をあけて並列した左右の支持フレーム２７，２７上面に、互いがクロスするように載せて固着（具体的には溶接）することによって、該支持部材８が形成されている。
【００４１】
前後の載置フレーム２８における上方に屈曲した計４つの部分は、規制部２８ａを構成している一方で、左右の支持フレーム２７における下方に屈曲した計４つの部分は、脚部２７ａを構成している。これに対して、サイドフレーム２，２側の４つの脚部９ａ，９ｂの下端部には、それぞれ上下方向の金属製の固定筒２９が溶着固定されている。この固定筒２９は上下両端が開放されており、この計４つの固定筒２９に、支持部材８の対応する脚部２７ａをそれぞれ挿入することにより、支持部材８が、左右のサイドフレーム２，２に取付固定される。
【００４２】
なお、この支持部材８は、上記取付構造から、左右のサイドフレーム２，２の下部間に架設された状態になり、枠体の強度を向上させている。
【００４３】
上記受皿７は、上方が開放されたボックス状に形成され、支持部材８の前後の載置フレーム２８，２８上に着脱自在に載置される。この際、左右のＵ字フレーム９，９における前後の脚部９ａ，９ｂによって、受皿７の前後動が規制されるとともに、載置フレーム２８の計４つの規制部２８ａによって、受皿７の左右動が規制されるので、受皿７は、支持部材８上に位置決めされた状態になる。なお、必ずしも支持部材８上に受皿７を設置する必要はなく、状況に応じて取外してもよいが、この場合でも、強度を向上させる目的で、支持部材８をサイドフレーム２に取付けた方が好ましい。
【００４４】
上記サイドカバー３は、左右のサイドフレーム２，２にそれぞれ個別に取付けられている。具体的には、サイドフレーム２の前後の脚部９ａ，９ｂは、下方に向かって間隔が広がっているため、これに対応させて、サイドカバー３も下方に向かって前後幅が広がる側面視台形状に成形され、このサイドカバー２の下部後側の隅部が方形状に切欠き形成されている。
【００４５】
このサイドカバー３，３の前後両縁には、互い向い合う側が開放された溝３ａが全体に亘り形成され、この前後の溝３ａにサイドフレーム２の前後の脚部９ａ，９ｂを嵌合させることにより、サイドカバー３がサイドフレーム２に嵌め込み固定されている。ちなみに、この固定時、サイドカバー３の上縁は、Ｕ字フレーム９の上端よりも高い位置にあり、このサイドカバー３の上縁部にも、下方が開放された溝３ａが形成されている。この前後及び上側の溝３ａを形成する凹状断面によって、各サイドカバー３は、前後縁及び上縁の強度が向上し、変形しずらくなる。
【００４６】
次に、図１及び図３に基づき、モップ５１の収納手段について説明する。
モップ５１を収納する際は、まず、モップ５１のヘッド５２の払拭面５２ａ側における長手方向一端部を、横フレーム４Ａ，４Ｂと支持杆６とのクロス部分や、補助当て部材１６に押し当て、ヘッド５２の払拭面５２ａ側が支持杆６に向き且つヘッド５２の長手方向が支持杆６に沿って上下方向を向くように該ヘッド５２を起立させる。
【００４７】
このようにして起立させたヘッド５２の下端部を受部１７によって下支えさせ、位置決めさせた後、柄５６を、ヘッド５２及び支持杆６に沿わせるように上下に起立させる。上下に起立させた柄５６は、保持部材２２に保持させ、これによって、モップ５１をモップ収納具１に収納する作業を速やかに完了させる。
【００４８】
ちなみに、この収納作業時、作業者の一方側の手は、モップ収納具１が動かないようにグリップ１８を把持し、他方側の手は、モップ５１の柄５６を把持するが、上記一方側の手を、フリーな状態にしてもよいし、両手でモップ５１の柄５６を把持してもよい。また、モップ収納具１を、ブラケット３１等によって壁Ｗに固定してもよい。
【００４９】
以上のように、上下の横フレーム４Ａ，４Ｂと支持杆６とが十字状に交差する部分と、各横フレーム４Ａ，４Ｂ自体と、支持杆６自体と、左右の補助当て部材１６，１６とによって押当て部３２を形成しており、この押当て部３２は、保持部材２２の真下且つ受部１７の真上に位置しており、モップ５１のヘッド５２を該押当て部３２に押し当てることにより、ヘッド５１を上述のように起立させることが容易になる。このように押当て部３２によって、モップ５１をコンパクトに収納させる作業を迅速に行うことが可能になる。
【００５０】
また、セットボルト２１を緩めることによって支持杆６の上下位置を変更すれば、押当て部３２に対する保持部材２２及び受部１７の上下位置が変更されるため、１つのホップ収納具１によって、様々な種類のモップ５１に対応させることが可能である。例えば、ヘッド５２の長手方向の長さや、柄５６の長さが異なるものや、ヘッド５２にパイル５３ではなくスポンジや紙をセットするモップに対して、一種類のモップ収納具１で対応可能になる。
【００５１】
さらに、受部１７は、ホップ収納具１を設置する設置面Ｆから所定以上高さ位置に配され、受部１７と設置面Ｆとの間には、排出スペース（スペース）が形成される。この排出スペースを介して、受部１７に下支えされたモップ５１のヘッド５２から、拭取ったゴミや埃や水等の液体などの拭取物が下方に落下し、該ヘッド５２の衛生状態を良好に保つことが可能にある。ちなみに、この収納空間の下部に位置する排出スペースに受皿７が配設されるため、拭取物を受皿７に溜めることが可能になり、この受皿７によって落下した抜取物の廃棄が容易になる。
【００５２】
なお、押当て部３２は、図示するものに限定されるものではなく、支持杆６単体や横フレーム４Ａ，４Ｂ単体や、或いは支持杆６と横フレーム４Ａ，４Ｂの交差部分のみでも、その機能は達成できる他、支持杆６又は横フレーム４Ａ，４Ｂに、正面視環状の部材やプレート状の部材を設置して、これらの部材を押当て部３２としてもよい。
【符号の説明】
【００５３】
１  モップ収納具
２  サイドフレーム
４Ａ，４Ｂ  横杆（横フレーム）
６  支持杆
７  受皿
１６  補助当て部材
１７  受部
１８  グリップ
２２  保持部材（保持部）
３２  押当て部
５１  モップ
５２  ヘッド
５６  柄
Ｆ  設置面
【図１】
0003174936.tif 000003
【図２】
0003174936.tif 000004
【図３】
0003174936.tif 000005
【図４】
0003174936.tif 000006
【図５】
0003174936.tif 000007